(57)【要約】【課題】心線を傷つけることなく短時間で口出し作業時間を実施することが可能な光ファイバケーブルを提供する。【解決手段】  光ファイバ心線１０と、光ファイバ心線１０を内部に収納するスロット溝１３を有するC形状のスロットロッド１２と、スロットロッド１２の外周において、スロット溝１３の開口部から離間した位置でスロットロッド１２に縦添えされた第１リップコード１８ａと、スロットロッド１２及び第１リップコード１８ａを被覆する内部シース２０と、内部シース２０を被覆する金属テープ２２と、金属テープ２２を被覆する外部シース２４とを備える。第１リップコード１８ａは、破断強度が８８０Ｎ以上の合成繊維から成る。【選択図】図１
2013228567.tif 000002
【特許請求の範囲】
【請求項１】
光ファイバ心線と、
前記光ファイバ心線を内部に収納するスロット溝を有するC形状のスロットロッドと、
前記スロットロッドの外周において、前記スロット溝の開口部から離間した位置で前記スロットロッドに縦添えされた第１リップコードと、
前記スロットロッド及び前記第１リップコードを被覆する内部シースと、
前記内部シースを被覆する波付きステンレス製の金属テープと、
前記金属テープを被覆する外部シース
とを備え、
前記第１リップコードは、破断強度が８８０Ｎ以上の合成繊維から成ることを特徴とする光ファイバケーブル。
【請求項２】
前記第１リップコードが、１２０００ｄ以上、１８０００ｄ以下の範囲のポリエステル繊維であることを特徴とする請求項１に記載の光ファイバケーブル。
【請求項３】
前記第１リップコードが、４０００ｄ以上、９０００ｄ以下の範囲のアラミド繊維であることを特徴とする請求項１に記載の光ファイバケーブル。
【請求項４】
前記スロットロッドを挟んで前記第１リップコードと対向し、前記スロットロッドの外周において、前記開口部から離間した位置で前記スロットロッドに縦添えされた第２リップコードを更に備えることを特徴とする請求項１〜３のいずれか１項に記載の光ファイバケーブル。
【発明の詳細な説明】
【技術分野】
【０００１】
本発明は、光ファイバケーブルに関する。
【背景技術】
【０００２】
光ファイバケーブルの端末の口出し作業を行う場合、内部に収納された光ファイバ心線を傷つけないように処理する必要がある。複数の光ファイバ心線を内部に収納したスロットロッドの周囲をシースで被覆したスロット型光ファイバケーブルが開発されている（特許文献１及び２参照）。このようなスロット型光ファイバケーブルでは、スロットロッドの開口部の反対側から工具を用いてシースに切込みを入れることができるため、光ファイバ心線を傷つけることなく口出し作業が行える。
【０００３】
屋外に敷設される光ファイバケーブルは、敷設環境により鳥獣による食害対策を施す必要がある。食害対策として、波付きステンレステープ等の金属テープを外装した光ファイバケーブル（以下において、金属外装ケーブルと称す。）が用いられる。金属外装ケーブルでは、口出し作業において専用工具を用いて外装を除去する必要があり、手間と時間を要する。
【０００４】
金属テープの内側に設けたリップコードを用いて金属テープを除去するステンレス外装ケーブルが開示されている（特許文献３及び４参照）。リップコードは、通常合成繊維が用いられる。金属テープの引き裂き時にリップコードが切れてしまう場合があり、問題である。
【先行技術文献】
【特許文献】
【０００５】
【特許文献１】特許第４３７６２５７号公報
【特許文献２】特許第４２１７７３２号公報
【特許文献３】特開平１１−１７６２５５号公報
【特許文献４】特開平１１−６４６９５号公報
【発明の概要】
【発明が解決しようとする課題】
【０００６】
上記問題点を鑑み、本発明の目的は、心線を傷つけることなく短時間で口出し作業時間を実施することが可能な光ファイバケーブルを提供することにある。
【課題を解決するための手段】
【０００７】
本発明の一態様によれば、光ファイバ心線と、光ファイバ心線を内部に収納するスロット溝を有するC形状のスロットロッドと、スロットロッドの外周において、スロット溝の開口部から離間した位置でスロットロッドに縦添えされた第１リップコードと、スロットロッド及び第１リップコードを被覆する内部シースと、内部シースを被覆する波付きステンレス製の金属テープと、金属テープを被覆する外部シースとを備え、第１リップコードは、破断強度が８８０Ｎ以上の合成繊維から成る光ファイバケーブルが提供される。
【発明の効果】
【０００８】
本発明によれば、心線を傷つけることなく短時間で口出し作業時間を実施することが可能な光ファイバケーブルを提供することが可能となる。
【図面の簡単な説明】
【０００９】
【図１】本発明の実施の形態に係る光ファイバケーブルの一例を示す断面図である。
【図２】本発明の実施の形態に係る光ファイバケーブルの口出し作業の一例を説明する断面図である。
【図３】本発明の実施の形態に係る光ファイバケーブルの口出し作業の一例を説明する側面図である。
【図４】図３に示した光ファイバケーブルのＡ−Ａ断面を示す断面図である。
【発明を実施するための形態】
【００１０】
以下図面を参照して、本発明の形態について説明する。以下の図面の記載において、同一または類似の部分には同一または類似の符号が付してある。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。また図面相互間においても互いの寸法の関係や比率が異なる部分が含まれていることは勿論である。
【００１１】
又、以下に示す本発明の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１２】
本発明の実施の形態に係る光ファイバケーブルは、図１に示すように、複数の光ファイバ心線１０、スロットロッド１２、抗張力体１４ａ、１４ｂ、押え巻きテープ１６、第１及び第２リップコード１８ａ、１８ｂ、内部シース２０、金属テープ２２、外部シース２４を備える。スロットロッド１２は、C形状を有し、複数の光ファイバ心線１０を内部に収納するスロット溝１３を有する。なお、光ファイバ心線１０と共に、吸水材や緩衝材をスロット溝１３に収納してもよい。抗張力体１４ａ、１４ｂは、スロット溝１３の開口部の反対側の位置でスロットロッド１２に埋め込まれる。スロット溝１３の開口部を覆うように押え巻きテープ１６が縦添えされる。
【００１３】
第１及び第２リップコード１８ａ、１８ｂは、それぞれスロットロッド１２の外周において、スロット溝１３の開口部から離間した位置でスロットロッド１２に縦添えされる。第１及び第２リップコード１８ａ、１８ｂは、スロットロッド１２を挟んで互に対向して配置される。内部シース２０は、スロットロッド１２と第１及び第２リップコード１８ａ、１８ｂとを被覆する。金属テープ２２は、内部シース２０を被覆する。外部シース２４は、金属テープ２２を被覆する。
【００１４】
複数の光ファイバ心線１０のそれぞれには、例えば、４心テープ心線が用いられる。光ファイバ心線１０としては、４心テープ心線に限定されず、２心や８心等の複数の心線を有するテープ心線を用いてもよく、単心光コード、２心光コード、あるいは光テープコード等を用いてもよい。
【００１５】
スロットロッド１２として、ポリエチレン等の樹脂が用いられる。抗張力体１４ａ、１４ｂとして、鋼線あるいは繊維強化プラスチック（ＦＲＰ）が用いられる。押え巻きテープ１６として、ポリプロピレン等の樹脂テープが用いられる。
【００１６】
第１及び第２リップコード１８ａ、１８ｂとして、ポリエステルやアラミド等の合成繊維が用いられる。内部シース２０及び外部シース２４として、ポリエチレン（ＰＥ）、ポリプロピレン（ＰＰ）、エチレンエチルアクリレート共重合体（ＥＥＡ）、エチレン酢酸ビニル共重合体（ＥＶＡ）、エチレンプロピレン共重合体（ＥＰ）等のポリオレフィン（ＰＯ）樹脂、ポリ塩化ビニル（ＰＶＣ）等が用いられる。金属テープ２２として、波付きステンレステープ等が用いられる。
【００１７】
屋外に敷設される光ファイバケーブルにおいては、鳥獣等による食害を防止するために、金属テープ２２として厚さが約０．１ｍｍ〜約０．２ｍｍの波付きステンレステープを用いるのが望ましい。波付きステンレステープの厚さが０．１ｍｍ未満では、食害防止の効果が低減する。厚さが０．２ｍｍを越えると、波付きステンレステープの切り裂きが困難となり、口出し作業の効率が低下する。
【００１８】
光ファイバケーブルの中間後分岐時の口出し作業においては、まずＨＳケーブル外被カッタ等の専用工具を用いて、外部シース２４及び金属テープ２２を約１００ｍｍの幅で除去する。露出した内部シース２０を専用切り裂き工具を用いて切り裂き、第１及び第２リップコード１８ａ、１８ｂを取り出す。図２に示すように、取り出した第１及び第２リップコード１８ａ、１８ｂを互に反対方向に引っ張る。図３に示すように、光ファイバ心線を取り出すために必要な幅まで内部シース２０、金属テープ２２、及び外部シース２４を第１及び第２リップコード１８ａ、１８ｂにより引き裂く。その結果、専用切り裂き工具による切り裂き長を短くすることが可能であり、図４に示すように、スロットロッド１２のスロット溝１３から光ファイバ心線１０を傷つけることなく容易に取り出すことができる。
【００１９】
金属テープ２２として用いられる波付きステンレステープを確実に切り裂くために、第１及び第２リップコード１８ａ、１８ｂには８８０Ｎ以上の強度が要求される。例えば、第１及び第２リップコード１８ａ、１８ｂとしてポリエステル繊維を用いる場合、１２０００デニール（以下において、「ｄ」と表す。）以上の繊度が望ましい。また、第１及び第２リップコード１８ａ、１８ｂとしてアラミド繊維を用いる場合、４０００ｄ以上の繊度が望ましい。なお、ポリエステル繊維及びアラミド繊維が、それぞれ１８０００ｄ及び９０００ｄを超えると糸撚り外径が２．０ｍｍを超える値となり、結果として光ファイバケーブルの外径が増加して好ましくない。したがって、第１及び第２リップコード１８ａ、１８ｂとしては、ポリエステル繊維の場合、１２０００ｄ〜１８０００ｄの範囲、アラミド繊維の場合、４０００ｄ〜９０００ｄの範囲が望ましい。
【００２０】
リップコードを有しない光ファイバケーブルでは、ＨＳケーブル外被カッタといった専用工具を用いて、光ファイバ心線を取り出すために、約５００ｍｍの長さで外部シース及び金属テープに縦方向に切り込みを入れて剥ぎ取る。切り込みを入れる際には、光ファイバ心線を傷つけないように刃の深さを注意し調整する必要がある。その作業には、約１５分の時間を要する。その後、内部シースに別の専用工具（ケーブルストリッパー）を用いて光ファイバ心線を取り出す。一方、実施の形態では、第１及び第２リップコード１８ａ、１８ｂを取り出すために、約１００ｍｍの幅だけ外部シース２４及び金属テープ２２を専用工具で剥ぎ取り、取り出した第１及び第２リップコード１８ａ、１８ｂで縦方向に外部シース２４、金属テープ２２、及び内部シース２０を同時に引き裂く。この作業に要する時間は約５分となり、作業時間を短縮することができる。
【００２１】
なお、上述の説明では、２本の第１及び第２リップコード１８ａ、１８ｂを用いているが、１本でもよく、３本以上の複数のリップコードを用いてもよい。光ファイバケーブルの外径の増加を抑制することや、口出し作業の効率化の観点から、２本のリップコードを用いることが望ましい。
【００２２】
（その他の実施の形態）
上記のように、本発明の実施の形態を記載したが、この開示の一部をなす論述及び図面はこの発明を限定するものであると理解すべきではない。この開示から当業者にはさまざまな代替実施の形態、実施例及び運用技術が明らかとなろう。したがって、本発明の技術的範囲は上記の説明から妥当な特許請求の範囲に係わる発明特定事項によってのみ定められるものである。
【産業上の利用可能性】
【００２３】
本発明は、屋外に敷設される光ファイバケーブルに適用することができる。
【符号の説明】
【００２４】
１０…光ファイバ心線
１２…スロットロッド
１３…スロット溝
１４ａ、１４ｂ…抗張力体
１６…押え巻きテープ
１８ａ…第１リップコード
１８ｂ…第２リップコード
２０…内部シース
２２…金属テープ
２４…外部シース
【図１】
2013228567.tif 000003
【図２】
2013228567.tif 000004
【図３】
2013228567.tif 000005
【図４】
2013228567.tif 000006